(57)【要約】【課題】  外科コンソールに連結する外科用トレイ上に取付ける外科用道具ホルダに関する。【解決手段】  道具ホルダは一対の対峙するバネ負荷グリッパアームを有する。グリッパアームは力を加えることにより分離するが、力が加わらないときには閉鎖位置へ回転する。閉鎖位置において、対峙するグリッパアーム、およびグリッパアーム間の湾曲した形態の小さいギャップは道具ホルダが種々の直径のハンドピースまたは道具を収容することを可能にする。【選択図】      図３
2004223256.tif 000002
【特許請求の範囲】
【請求項１】
ａ）  顎部および弓状面を有する一対の対峙する枢軸回転アーム、および
ｂ）  前記顎部と反対側に位置して前記アームを連結しかつ前記顎部を共に付勢するバネを含む道具ホルダ。
【請求項２】
前記弓状面上に把持面を更に含む、請求項１の道具ホルダ。
【請求項３】
前記把持面は熱可塑性プラスチックエラストマーである、請求項２の道具ホルダ。
【請求項４】
前記熱可塑性エラストマーは前記弓状面上に重ねて成形されている、請求項３の道具ホルダ。
【請求項５】
ａ）  本体、
ｂ）  顎部を有しかつ前記本体に連結された一対の対峙する枢軸回転アーム、および
ｃ）  前記顎部と反対側に位置して前記アームを連結しかつ前記顎部を共に付勢するバネを含む外科用トレイ。
【請求項６】
前記アーム上に把持面を更に含む、請求項５の外科用トレイ。
【請求項７】
前記把持面は熱可塑性プラスチックエラストマーである、請求項６の外科用トレイ。
【請求項８】
前記熱可塑性エラストマーは前記アーム上に重ねて成形されている、請求項７の外科用トレイ。
【請求項９】
ａ）  顎部および弓状面を有する一対の対峙する枢軸回転アーム、および
ｂ）  前記顎部と反対側に位置して前記アームを連結しかつ前記顎部を共に付勢するバネを含み、
前記弓状面が熱可塑性エラストマーで覆われている、道具ホルダ。
【請求項１０】
ａ）  本体、
ｂ）  熱可塑性エラストマーで覆われかつ前記本体に連結された一対の対峙する枢軸回転アーム、および
ｃ）  前記顎部と反対側に位置して前記アームを連結しかつ前記顎部を共に付勢するバネを含む、外科用トレイ。
【発明の詳細な説明】
【技術分野】
【０００１】
本発明は、概ね、眼科外科の分野、更に具体的には外科コンソールに使用される外科用トレイ道具ホルダに関する。
【背景技術】
【０００２】
人間の、最も簡単な用語としての目は、隔膜と称される透明外部から光りを伝達し、かつ水晶体により網膜上に結像することにより視覚を提供する働きをする。結像の質は目の寸法および形状、ならびに隔膜、硝子体および水晶体の透明性を含む多くのファクタに依存する。
【０００３】
年齢および病気に起因して水晶体が透明性を喪失すると、網膜に伝達される光りの減少により視覚が劣化する。目の水晶体におけるこの欠陥は白内障として医学的に知られている。この状況に許容される処置は水晶体の外科的除去および人工的眼内レンズ（ＩＯＬ）による水晶体機能の置換である。
選択的に、病気および傷害は網膜または硝子体に悪影響を与え、多くの場合に硝子体の除去を必要とする。
【０００４】
アメリカ合衆国において、白内障水晶体の大半が水晶体乳化法と称される外科手術により除去される。この処置時に、薄い水晶体乳化カッティングチップが疾患水晶体へ挿入されかつ超音波により振動する。振動するカッティングチップは水晶体を液化または乳化して、水晶体が目から吸引されるようにする。一旦除去された疾患水晶体は、通常は人工レンズにより置換される。
【０００５】
眼科治療に適した代表的超音波外科装置は、超音波駆動するハンドピース、取付けたカッティングチップ、および洗浄スリーブと電子制御コンソールで構成される。ハンドピース組立体は電線および可撓性配管により制御コンソールに取付けられる。電線を通して制御コンソールは、ハンドピースにより取付けたカッティングチップに伝達される電力レベルを変化させ、かつ可撓性配管は洗浄流体をハンドピース組立体を介して目に供給しかつ目から吸引する。
【０００６】
硝子体かつ／または網膜手術に関し、種々のカッティング装置、ハサミ、抽出針（カニューレ）、フラグメンタ、または組織マニュピレータが使用される。硝子体カッタ等のこれらの装置の幾つかはギロチン（アキシャル）または往復中空カッティング管を使用する。吸引はカッティング管の内部に対して行なわれ、カットするにつれて組織を吸引する。
【０００７】
種々のハンドピースを外科コンソールに連結する種々の洗浄管および吸引管は、すべて手術前にそのシステム内の気体を除去するために下準備されなければならない。本発明の前には、ハンドピースは滅菌洗浄流体の小さい容器内にハンドピースチップを保持することにより、またはハンドピースチップ上に弾性プライミング室を設置しかつ洗浄流体の加圧流を送ることにより下準備された。この処理時に、ハンドピースチップの開放端は尖端を上に向けて保持されてシステム内の気体がそのチップから脱出してプライミング室に侵入するようにすることが好ましい。プライミングシーケンスは長時間でないが、プライミングは手術室関係者の注意を必要とする。
【０００８】
従って、ハンドフリーの外科器具のプライミング装置に対するニーズが依然として存在する。
【０００９】
【特許文献１】米国意匠特許第４６７，００１号
【発明の開示】
【発明が解決しようとする課題】
【００１０】
本発明は外科コンソールに連結された外科用トレイ上に取付ける外科用道具ホルダを提供することにより従来技術を改良する。
【００１１】
従って、本発明の課題は道具ホルダを有する外科用トレイを提供することにある。
【００１２】
本発明の他の課題は一対の対峙するバネ負荷グリッパアームを有する道具ホルダを提供することにある。
【００１３】
本発明の他の課題は外科用道具のハンドフリープライミングを可能にする道具ホルダを提供することにある。
【００１４】
本発明の他の課題は種々のハンドピースサイズを収容する一対の対峙するバネ負荷グリッパアームを有する道具ホルダを提供することにある。
【００１５】
本発明の上記および他の利点および課題は続く説明から明かになるであろう。
【課題を解決するための手段】
【００１６】
上記課題を達成するための本発明による道具ホルダは、ａ）顎部および弓状面を有する一対の対峙する枢軸回転アーム、およびｂ）前記顎部と反対に位置する前記アームを連結しかつ前記顎部を共に付勢するバネを含むことを特徴とする。
【００１７】
本発明による外科用トレイは、ａ）本体、ｂ）顎部を有しかつ前記本体に連結された一対の対峙する枢軸回転アーム、およびｃ）前記顎部と反対側に位置して前記アームを連結しかつ前記顎部を共に付勢するバネを含むことを特徴とする。
【００１８】
本発明による他の形態の道具ホルダは、ａ）顎部および弓状面を有する一対の対峙する枢軸回転アーム、およびｂ）前記顎部と反対側に位置して前記アームを連結しかつ前記顎部を共に付勢するバネを含み、かつ前記弓状面が熱可塑性エラストマーで覆われていることを特徴とする。
【００１９】
本発明による他の形態の外科用トレイは、ａ）本体、ｂ）熱可塑性エラストマーで覆われかつ前記本体に連結された一対の対峙する枢軸回転アーム、およびｃ）前記顎部と反対側に位置して前記アームを連結しかつ前記顎部を共に付勢するバネを含むことを特徴とする。
【００２０】
好適形態において、前記弓状面上に把持面を更に含む。
【００２１】
前記把持面は熱可塑性プラスチックエラストマーであるのが好ましい。
【００２２】
前記熱可塑性エラストマーは前記弓状面上に重ねて成形されるのが好ましい。
【００２３】
要約すれば、本発明による道具ホルダは一対の対峙するバネ負荷グリッパアームを有する。前記グリッパアームは力により分離移動するが、力が加わらないときには閉鎖位置へ回転する。この閉鎖位置において、対峙するグリッパアーム、およびグリッパアーム間のカーブを付けた形状の小さいギャップが道具ホルダの種々の直径のハンドピースまたは道具の収容を可能にする。
【発明を実施するための最良の形態】
【００２４】
図１に最良に示されたように、本発明の道具ホルダ１０は、概ね、当分野で周知のコンソール等の外科コンソール１１０に取付けた外科用トレイ１００の本体１１の一部に連結されるかまたは本体１１の一部を形成する。例えば、米国意匠特許第４６７，００１号は本発明の道具ホルダ１０に使用するのに適した外科コンソールを開示する。その全内容が参考として本願に組み込まれる。
【００２５】
図２および３に最良に示されたように、道具ホルダ１０は、概ね、軸ピン１４およびバネワッシャ１５により外科用トレイ１００に取付ける複数のグリッパアーム１２を含む。アーム１２の開放顎部１６はバネ１８の反対側にありかつ僅かに円弧を形成し、かつ圧縮バネ１８により相互方向に向けて付勢される。アーム１２のヒール部２８は僅かに角度を付けて形成されていて、ヒール部２８間の相互作用によりアーム１２の回転の制限を可能にする。
【００２６】
アーム１２は、顎部１６がバネ１８により共に付勢されるときにギャップ２２を形成する、弓状面２０を含む。顎部１６間のギャップ２２は道具ホルダが種々の直径、寸法および重量の道具を保持することを可能にする。顎部１６間のスペース２４と共に顎部１６の円弧性が道具ホルダへの道具（図示されていない）の挿入を容易にする。
【００２７】
アーム１２は、好適には、弓状領域において熱可塑性エラストマー（ＴＰＥ）等の適宜グリッパ材料に覆われるかまたは結合される。プレート１７は、アーム１２がバネワッシャ１５によってプレート１７に付勢されるときに、アーム１２に対して円滑面を提供する。
【００２８】
使用に際して、外科用道具は円弧形顎部１６に対して付勢されかつスペース２４へ付勢される。アーム１２は、ピン１４、圧縮バネ１８を中心に軸回転して、道具をギャップ２２内に位置決めする。道具がギャップ２２内に位置決めされると、弓状面２０はバネ２８により道具へ付勢され、それにより道具ホルダ１０内に道具を保持する。
【００２９】
以上、図解および解説のために記載した。当業者には本発明の範囲および精神から逸脱することなく変更および改良が可能であることが明かであろう。
【図面の簡単な説明】
【００３０】
【図１】外科コンソールの一部を形成する外科用トレイ上に取付けた本発明の道具ホルダの斜視図である。
【図２】外科用トレイ上に取付けた本発明の道具ホルダの分解組立体図である。
【図３】閉鎖位置で示された本発明の道具ホルダの平面図である。
【図４】開放位置で示された本発明の道具ホルダの平面図である。
【符号の説明】
【００３１】
１０…道具ホルダ
１２…アーム
１５…バネワッシャ
１６…顎部
１７…プレート
２０…弓状面
２２…ギャップ
２４…スペース
【図１】
2004223256.tif 000003
【図２】
2004223256.tif 000004
【図３】
2004223256.tif 000005
【図４】
2004223256.tif 000006